(57)【要約】【課題】  記録装置と記録部材との間の距離が変動して位置ずれ量が変わった場合に、位置ずれ量の再計測を行わずとも位置ずれのない画像を形成することのできる画像処理方法を提供する。【解決手段】  画像形成装置の出荷調整時に、光路方程式と、記録面方程式と、距離情報と、を登録する。距離情報が変動した場合には、光路方程式を平行移動し（Ｓ２）、平行移動した光路方程式と記録面方程式とから距離変更後の記録位置を算出する（Ｓ３）。該離変更後の記録位置と距離変更前の記録位置の差をから「距離補正情報」を算出し（Ｓ４）、該距離補正情報と位置ずれ量とから「補正位置ずれ量」を算出する（Ｓ５）。画像を形成する際には、該補正位置ずれ量を参照して「位置ずれ補正画像」を形成し（Ｓ６）、画像形成を行う（Ｓ７）。【選択図】  図７
2007038459.tif 000002
【特許請求の範囲】
【請求項１】
光ビームを出力する複数の記録装置を有し、１つの原画像を複数の部分画像に分割し、前記複数の記録装置により前記分割した複数の部分画像を記録部材に記録する画像形成装置における画像処理方法であって、
前記複数の記録装置の記録位置と、前記記録装置と前記記録部材との間の距離についての情報である距離情報と、前記複数の記録装置から照射される光ビームの経路を表す直線方程式である光路方程式と、前記記録部材の面を表す面方程式である記録面方程式と、を保持する第１の工程と、
前記距離情報が変動した場合に、前記光路方程式を平行移動させる第２の工程と、
前記平行移動させた光路方程式と前記記録面方程式とを解くことで、距離変動後の前記記録装置の記録位置を算出する第３の工程と、
前記距離変動後の前記記録装置の記録位置と距離変動前の前記記録装置の記録位置の差である距離補正情報を算出する第４の工程と、
該距離補正情報を反映させて画像データを形成する第５の工程と、
を行うことを特徴とする画像処理方法。
【請求項２】
前記複数の記録装置のうちの、１つの記録装置の保持している記録位置と、該記録装置の実際の記録位置とが異なる場合に、
前記光路方程式と前記記録面方程式とをシミュレートすることで、前記実際の記録位置と同一となる距離情報を算出する第６の工程と、
保持している前記距離情報を、前記シミュレートにより算出した距離情報に更新する第７の工程と、
を行うことを特徴とする請求項１記載の画像処理方法。
【請求項３】
前記画像形成装置の表示手段に、前記距離情報の入力を受け付ける距離情報入力画面を表示する第８の工程を行うことを特徴とする請求項１または２に記載の画像処理方法。
【請求項４】
前記第８の工程において、前記距離情報の入力は数値入力で行われることを特徴とする請求項３記載の画像処理方法。
【請求項５】
前記第８の工程において、前記距離情報の入力は表示される複数の選択肢の選択入力で行われることを特徴とする請求項３記載の画像処理方法。
【請求項６】
前記記録装置の記録位置が所定の範囲の外にある場合に、その旨を外部に報知する第９の工程を、さらに行うことを特徴とする請求項１から５のいずれか１項に記載の画像処理方法。
【請求項７】
前記第９の工程において、前記画像形成装置の表示手段により、前記外部報知を行うことを特徴とする請求項６記載の画像処理方法。
【発明の詳細な説明】
【技術分野】
【０００１】
本発明は、画像処理方法に関し、特に、複数の記録装置を用いて分割して画像の処理を行う画像処理方法に関する。
【背景技術】
【０００２】
複数の記録装置（書き込み装置）からの光ビームを利用して画像を分割形成する画像形成装置が知られている。このような画像形成装置においては、印刷する画像データを複数の画像データに分割し、複数ある記録装置を用いて該分割画像データを画像再現することで、画像を形成する。
【０００３】
図１２において、（ａ）は印刷する画像データを、（ｂ）は３分割した分割画像データを示す。
【０００４】
この分割方式の画像形成装置においては、設計時に各記録装置の記録位置、記録範囲が、隣り合う記録装置同士で連続するように配置される。ところが、製造工程での組立公差や各部材機械的ばらつきのため、記録装置の記録位置は各々ずれてしまう。この記録位置のずれに伴い、記録範囲についてもずれてしまうので、形成される画像が不連続の歪んだ画像となってしまう。
【０００５】
図１３を参照して、記録範囲が不連続な場合に形成される画像について説明する。（ａ）は、記録範囲が不連続な状態を示す。また、（ｂ）は、この記録範囲が不連続なものに図１２の画像データを入力した状態、（ｃ）は実際に画像形成（画像出力）を行った状態を示す。（ｃ）に示すように、記録位置・記録範囲がずれていると、形成される画像が分割画像データ毎に不連続で歪んでしまう。これでは画像形成装置としては致命的な欠陥となる。
【０００６】
現状の製造技術では製造工程での組立公差や各部材の機械的ばらつきを完全には回避することができず、上記のような位置ずれの問題は、複数の記録装置を用いて画像を形成する画像形成装置の分野で大きな問題となっている。
【０００７】
このような記録位置ずれの問題に対応する技術としては、次のものが知られている。
【０００８】
特許文献１では、記録する画像データを予め記録装置の記録位置のずれ分（位置ずれ量）ずらした補正画像データを作成し、これを画像形成装置に書き込む画像形成装置が提案されている。この技術によれば、機械的な位置ずれを受忍し、出力予定の画像データについて位置ずれを加味して補正し、補正画像データを出力することで位置ずれのない画像形成を行う。
【特許文献１】特開２００４−１４７２６０号公報
【発明の開示】
【発明が解決しようとする課題】
【０００９】
しかし、上記の特許文献１記載の技術は、以下の問題点を有している。
【００１０】
図１４、図１５を参照して説明する。図１４は画像形成装置の書き込み系の概略を、図１５は同書き込み系を横から見た状態を示す。また、符号３は記録装置を、符号４はドラムに固定されている記録部材を示す。
【００１１】
なお、複数の記録装置を用い分割して画像形成を行う画像形成装置においては、図１４に示すように、各記録装置は平行に取り付けられず、それぞれ異なる角度で配置される。
【００１２】
このような画像形成装置において、ドラムに固定する記録部材４の厚さや記録部材４の感光感度に応じて記録装置３と記録部材４の距離が変動した場合、記録装置３の光ビームの記録位置がずれてしまう。図１５を参照して説明する。記録装置３と記録部材４との間の距離を（ａ）から（ｂ）に変更すると、上側の記録装置３から照射される光ビームは上方向に、下側の記録装置３から照射される光ビームは下方向にずれてしまう。
【００１３】
これでは、位置ずれ量が最初（製造時）の位置ずれ量と異なってしまうので、最初の位置ずれ量を参照して補正画像データを形成しても位置ずれをなくすことができない。
【００１４】
距離情報の変更毎に位置ずれ量を再計測し、再計測した位置ずれ量を参照して補正画像を形成する方法も考えられるが、そのためには、位置ずれ量を測定するための測定テストを行う必要があり、時間的・コスト的に不利である。
【００１５】
本発明は上記の問題点に鑑みてなされたものであり、記録装置と記録部材との間の距離が変動して位置ずれ量が変わった場合に、位置ずれ量の再計測を行わずとも位置ずれのない画像を形成することのできる画像処理方法を提供することを目的とする。
【課題を解決するための手段】
【００１６】
請求項１記載の発明は、光ビームを出力する複数の記録装置を有し、１つの原画像を複数の部分画像に分割し、前記複数の記録装置により前記分割した複数の部分画像を記録部材に記録する画像形成装置における画像処理方法であって、前記複数の記録装置の記録位置と、前記記録装置と前記記録部材との間の距離についての情報である距離情報と、前記複数の記録装置から照射される光ビームの経路を表す直線方程式である光路方程式と、前記記録部材の面を表す面方程式である記録面方程式と、を保持する第１の工程と、前記距離情報が変動した場合に、前記光路方程式を平行移動させる第２の工程と、前記平行移動させた光路方程式と前記記録面方程式とを解くことで、距離変動後の前記記録装置の記録位置を算出する第３の工程と、前記距離変動後の前記記録装置の記録位置と距離変動前の前記記録装置の記録位置の差である距離補正情報を算出する第４の工程と、該距離補正情報を反映させて画像データを形成する第５の工程と、を行うことを特徴とする。
【００１７】
請求項２記載の発明は、請求項１記載の画像処理方法において、前記複数の記録装置のうちの、１つの記録装置の保持している記録位置と、該記録装置の実際の記録位置とが異なる場合に、前記光路方程式と前記記録面方程式とをシミュレートすることで、前記実際の記録位置と同一となる距離情報を算出する第６の工程と、保持している前記距離情報を、前記シミュレートにより算出した距離情報に更新する第７の工程と、を行うことを特徴とする。
【００１８】
請求項３記載の発明は、請求項１または２に記載の画像処理方法において、前記画像形成装置の表示手段に、前記距離情報の入力を受け付ける距離情報入力画面を表示する第８の工程を行うことを特徴とする。
【００１９】
請求項４記載の発明は、請求項３記載の画像処理方法において、前記第８の工程において、前記距離情報の入力は数値入力で行われることを特徴とする。また、請求項５記載の発明は、請求項３記載の画像処理方法において、前記第８の工程において、前記距離情報の入力は表示される複数の選択肢の選択入力で行われることを特徴とする。
【００２０】
請求項６記載の発明は、請求項１から５のいずれか１項に記載の画像処理方法において、前記記録装置の記録位置が所定の範囲の外にある場合に、その旨を外部に報知する第９の工程を、さらに行うことを特徴とする。
【００２１】
請求項７記載の発明は、請求項６記載の画像処理方法において、前記第９の工程において、前記画像形成装置の表示手段により、前記外部報知を行うことを特徴とする。
【発明の効果】
【００２２】
本発明により、記録装置と記録部材との間の距離が変動した場合でも、光路方程式、記録面方程式、距離情報に基づいて、変動後の位置ずれ量である補正位置ずれ量を算出することができるので、位置ずれ量を再計測せずとも位置ずれのない画像を形成することが可能となる。
【発明を実施するための最良の形態】
【００２３】
以下、本発明について、実施の形態に即して説明する。
【００２４】
＜画像形成装置＞
まず、本実施形態の画像形成装置の構成について、図１を参照して説明する。
【００２５】
画像形成装置１は、ドラム２と、記録装置（書き込み装置）３とから構成される。ドラム２の円周面には画像形成に用いられる記録部材（版材）４が、例えばクランプ機構のような固定機構によって固定されている。ドラム２は回転軸を中心として回転自在に設けられており、ステッピングモータやサーボモータ等の駆動手段により回転制御される。
【００２６】
ドラム２の一端には、一部においてドラム２の円半径よりも突出した箇所を持つ遮光部材５が設けられており、ドラム２と共に回転駆動する。また、遮光部材５の回転位置には、凹型の形状を有する検出部材６が設けられている。検出部材６は、一方の側部に光源が設けられ、他方の側部には光源からの光を検出する光検出器が設けられたフォトインタラプタ構成からなる。
【００２７】
ドラム２が回転し検出部材６の凹部に遮光部材５の突出部が位置すると、光源からの光は遮光部材５により遮光され、光検出器はＯＦＦとなる。また、ドラム２が回転し遮光部材５の突出部が検出部材６の凹部から離反すると、検出器に光源からの光が到達するので光検出器はＯＮとなる。このＯＮ／ＯＦＦ信号を利用し、ＯＦＦ信号の位置をドラム２の回転原点（回転のスタート位置）と設定する。
【００２８】
記録装置３Ａ〜Ｃは、半導体レーザやＬＥＤなどの光学素子からなり、ドラム２の円周面に固定された記録部材４に光ビームを照射することで画像を形成する。本実施形態の画像形成装置１は、該記録装置３を３つ（Ａ〜Ｃ）備えており、該記録装置３は対応する記録範囲について画像形成を行う。
【００２９】
記録装置３Ａ〜Ｃの理想の記録範囲は、図２に示すように、互いに主走査方向に隣接した、同形状の長方形となる。なお、図２中の横方向は主走査方向であり、縦方向は副走査方向である。
【００３０】
なお、各記録装置３Ａ〜Ｃが光ビームを照射可能な範囲、すなわち記録限界範囲は、記録範囲よりも少し大きいものとなっている。
【００３１】
＜位置ずれ補正＞
次に、画像形成装置１の設計時の位置ずれ補正について、図２、図３を参照して説明する。３つの記録装置３から照射される光ビームの照射位置（記録位置）が理想的であれば、図２に示すように、各記録装置３の記録範囲は隣り合う記録装置の記録範囲と連続する。しかし、実際には製造工程での組立公差やばらつきのため、各記録装置３の記録位置は各々ずれてしまう。記録位置のずれに伴い、記録範囲についてもずれてしまうので、図３の実線部で示すように各記録装置３の記録範囲は連続せずにずれてしまう。
【００３２】
そこで、本実施形態の画像形成装置１では、画像形成装置１の出荷調整時にこのずれ量を「位置ずれ量」として検出し、保持する。そして、画像を形成する際には、該位置ずれ量を参照して「位置ずれ補正画像」を形成し、これを記録部材４上に形成することで位置ずれのない画像を形成する。
【００３３】
「位置ずれ量」について説明する。位置ずれ量は図４に示すように、設計上の記録範囲（理想の記録範囲）と実際の記録範囲との頂点座標のずれ量をｘ，ｙの２座標の値で表したものである。なお、ｘは図中横方向（主走査方向）のずれ量を表し、ｙは図中縦方向（副走査方向）のずれ量を表す。
【００３４】
なお、本実施形態では理想の記録範囲と実際の記録範囲との頂点座標のずれ量を位置ずれ量としているが、隣接する記録領域のずれが無ければ形成画像に問題は生じないので、隣り合う記録範囲の、理想では隣接するはずの頂点位置のずれ量を位置ずれ量と定義しても構わない。
【００３５】
「位置ずれ補正画像」について説明する。例えば、図３において、記録装置３Ａの位置ずれ量（ｘ，ｙ）が（０，＋２）、記録装置３Ｂの位置ずれ量（ｘ，ｙ）が（＋２，＋２）、記録装置３Ｃの位置ずれ量（ｘ，ｙ）が（−１．５，−２）であるとする。
【００３６】
この場合、記録装置３Ａの記録範囲と記録装置３Ｂの記録範囲の間にはｘ方向すなわち主走査方向に＋２分の隙間が空いている。なので、この隙間を記録装置３Ａで埋めた画像を位置ずれ補正画像として形成する。すなわち、主走査方向について記録装置３Ａの記録範囲を超えて記録限界範囲で画像形成を行い、該隙間を埋める。
【００３７】
また、記録装置３Ａの記録範囲と記録装置３Ｂの記録範囲とはｙ方向すなわち副走査方向で＋４分ずれるので記録装置３Ａの記録範囲と記録装置３Ｂの記録範囲とをｙ方向でずらした画像を位置ずれ補正画像として形成する。
【００３８】
記録装置３Ｂの記録範囲と記録装置３Ｃの記録範囲の間はｘ＝−３．５であるので、両記録範囲は重なっている状態にある。そこで、記録装置３Ｂの記録範囲をｘ方向、すなわち主走査方向で狭くし、記録範囲の重なりをなくした画像を位置ずれ補正画像として形成する。
【００３９】
また、記録装置３Ｂの記録範囲と記録装置３Ｃの記録範囲とはｙ方向すなわち副走査方向で−４分ずれるので記録装置３Ｂの記録範囲と記録装置３Ｃの記録範囲とをｙ方向でずらした画像を位置ずれ補正画像として形成する。
【００４０】
このようにして形成された「位置ずれ補正画像」は、図５に示すような画像となる。位置ずれ補正画像自体はずれた画像であるが、これを上記図３の位置ずれ量を持つ画像形成装置１で画像形成すると図６に示すような１枚の連続した画像となり、位置ずれの発生を回避することができる。
【００４１】
この位置ずれ補正は、機械的な調整を行わずとも、原画像から位置ずれ補正画像を生成するソフトウエア的処理で実現することができる。該処理は原画像データを画像形成装置用のラスタ画像に変換するラスタ処理の段において行われる。
【００４２】
＜距離変更補正＞
次に、記録装置３と記録部材４の間の距離が変動した場合について説明する。上述したように、ドラム２に固定する記録部材４の厚さ変更などに応じて記録装置３と記録部材４の間の距離が変動した場合、光ビームの照射位置（記録位置）が設計時の照射位置からずれてしまう（図１５参照）。なので、記録装置３と記録部材４の間の距離が変わった場合には、初期設定としての「位置ずれ量」を参照しても位置ずれのない画像を形成できる「位置ずれ補正画像」を形成することができない。
【００４３】
そこで、本実施形態の画像形成装置１では、画像形成装置１の出荷調整時に、「光路方程式」と、「記録面方程式」と、「距離情報」の３つのパラメータを初期設定として記憶する。
【００４４】
上記の各パラメータについて詳述する。「光路方程式」とは、記録装置３から照射される光ビームの経路を３次元直線の方程式として表したものである。この光路方程式は記録装置３Ａ〜Ｃ毎に定義される。
【００４５】
「記録面方程式」とは、記録部材４の表面を表す方程式である。この記録面方程式は、設計上の配置から決定する。また、「距離情報」とは、記録装置３から記録部材４までの距離を表す値である。
【００４６】
なお、光路方程式と記録面方程式を連立させて解いた交点座標が、光ビームが記録部材４上に照射される記録位置となる。なので、画像形成装置１の出荷調整時に、各記録装置３の記録位置（両方程式の交点）が上述の位置ずれ量を持つように光路方程式を決定する。
【００４７】
記録装置３と記録部材４との間の距離の変動は光路方程式の平行移動として表される。例えば、記録装置３と記録部材４の距離方向がｚ軸と一致するなら、距離変更は光路方程式のｚ軸方向の平行移動である。また、距離の変更だけでなく、光路の向きの変更についても直線式の回転とみなして光路方程式を求める事ができる。
【００４８】
平行移動した新しい光路方程式と記録面方程式の交点を求めることで、距離変動後の記録装置３の記録位置を求めることができる。この距離変動後の記録位置と距離変更前の記録位置の差を「距離補正情報」とし、「位置ずれ量」に対してこの距離補正情報を反映させることで距離変更後の位置関係に対応した位置ずれ量である「補正位置ずれ量」を算出し、保持する。
【００４９】
そして、画像形成処理を行う際には「補正位置ずれ量」を参照して、「位置ずれ補正画像」を形成し、画像形成を行う。
【００５０】
上記の処理フローを図７に示す。まず、出荷調整時（初期設定）の距離情報と異なる距離情報を検知すると（ステップＳ１）、検知した距離情報に基づいて光路方程式を平行移動し（ステップＳ２）、該平行移動した光路方程式と記録面方程式との交点、すなわち距離変更後の記録位置を算出する（ステップＳ３）。そして、この距離変更後の記録位置と距離変更前の記録位置の差を求めることで「距離補正情報」を算出し（ステップＳ４）、該距離補正情報と位置ずれ量とから「補正位置ずれ量」を算出し保持する（ステップＳ５）。画像を形成する際には、該補正位置ずれ量を参照して「位置ずれ補正画像」を形成し（ステップＳ６）、画像形成を行う（ステップＳ７）。
【００５１】
本実施形態により、記録装置３と記録部材４の間の距離という１つの尺度により、距離変動時の位置ずれ量を補正することができ、位置ずれのない画像を形成することが可能となる。
【００５２】
＜距離情報の変更方法＞
なお、距離情報の変更は、記録部材４の種類や画像形成装置１の各部材の経時的変動があった場合に、ユーザ手動によりなされる。
【００５３】
具体的には、図８のような距離情報入力画面を画像形成装置１のディスプレイに表示し、ユーザからの数値入力を受け付けることで新しい距離情報へ更新する。なお、この際、機械的な距離を逸脱する明らかな超過数値や過小数値が入力されることもあるので、機械的な距離を満たす範囲での距離情報についてのみ受け付け、そうでないものについては「入力エラー」として、数値入力を受け付けないようにする。
【００５４】
また、上記のような直接の数値入力でなくとも、例えば、図９に示すように複数の選択肢を表示し、ユーザからの選択を受け付けることで距離情報の更新を行うようにしても良い。また距離を直接表示せず、距離の遠近を表す絵を複数表示し、ユーザによる該絵の選択を受け付けることで距離情報の更新を行うようにしてもよい。また、記録部材４の種類を表示しユーザからの選択を受け付け、その記録部材４の種類にあらかじめ対応させた距離に距離情報を更新すうようにしても良い。
【００５５】
また、距離情報の表示は画像形成装置１のディスプレイに限らず、複数の発光体を並べた棒グラフや数字表示用のＬＥＤを用いて行っても良い。
【００５６】
また、距離情報の受け付けを、歩テンションメータのダイアル回転で行い、ダイアル回転量と距離情報を対応させて更新しても良い。また、記録装置３と記録部材４の機械的な距離を変更する装置に該距離を検出可能なエンコーダなどを付加し、機械的な距離を検知することで距離情報を変更するようにしても良い。また、距離の変更をねじ（ハンドル）の回転により行うような場合は、ねじの回転を検知するエンコーダを取り付け、ねじのピットと回転数から距離の変化を検知し、距離情報を更新するようにしても良い。
【００５７】
＜シミュレーション処理＞
次に、本実施形態の画像形成装置１のシミュレーション処理について説明する。画像形成装置１において、経時的変化により記録装置３と記録部材４の位置関係の変化や、光学レンズの位置変化による焦点距離の変化が発生することがあり得る。また、画像形成装置の出荷調整時の位置ずれ量を参照しても実際に画像形成した場合に画像がずれている場合がある。このような場合に、記録装置３と記録部材４の位置関係が変動したものとして、初期設定としての距離情報を変更・更新する。
【００５８】
以下、具体的に説明する。本実施形態の画像形成装置１には、初期設定としての光路方程式が登録されているので、記録装置３と記録媒体４との距離（距離情報）を変更した場合の記録面との交点位置（記録位置）については、逐次計算可能である。すなわち、距離が変化したときの記録位置をシミュレーション（模擬検証）することが可能である。
【００５９】
なので、複数ある記録装置３の記録位置を計測し、これをシミュレーションによる記録位置と比較し、差が最小となる距離を決定する。この差が実用誤差範囲内であれば距離による誤差修正としてこのシミュレーションで用いた距離を距離情報として更新する。
【００６０】
なお、変化の要因が距離に依存したものであると推定できる場合には、すべての記録装置３の位置ずれを測定せずとも、少なくとも１箇所の位置ずれ量についてシミュレーション比較することで上記シミュレーション処理を行うことができる。これにより、シミュレーション処理のコスト・時間を省くことが可能となる。
【００６１】
＜報知方法＞
また、位置ずれ量、補正位置ずれ量の値が予め決められた範囲を超える場合、画像形成装置１に異常が発生していると考えられる。このような状況を画像形成装置１のユーザに報知するため、図１０に示すような画面をディスプレイ上に表示し、これらの値をユーザが確認できるようにする。これによりユーザはずれ量の大きさを判断できるので、画像形成装置１の状態を類推することが可能となり、ユーザに資することが可能となる。
【００６２】
また、予め定められた範囲を超える場合には、画面の表示を変更することで、ユーザに報知・アナウンスするようにするとより好ましい。例えば、図１１に示すように、補正後のずれ量ｙが許容範囲を超えた部分について表示を反転させている（図中、記録装置３Ｂのｙ）。このように表示すれば、ユーザは容易に画像形成装置１の異常を検出することが可能となる。また、他の報知・アナウンス方法としては、文字の大きさや色を変える方法や異常アナウンスをディスプレイ上に表示する方法、音で報知する方法などが考えられる。
【００６３】
＜付記事項＞
なお、上述の実施形態は本発明の好適な実施形態の一例を示すものにすぎず、本発明の実施の形態を限定する趣旨のものではない。よって、本発明は上述の実施形態に限定されることはなく、その要旨を逸脱しない範囲内において種々の変形実施を行うことが可能である。例えば、上記実施形態においては、画像形成装置１は記録装置を３つ有する構成であるとしたが、３つに限らず、例えば５つであっても良い。
【図面の簡単な説明】
【００６４】
【図１】画像形成装置の構成を示す図である。
【図２】記録装置の理想の記録位置・記録範囲を説明するための図である。
【図３】記録装置の実際の記録位置・記録範囲を説明するための図である。
【図４】位置ずれ量の定義を説明するための図である。
【図５】位置ずれ補正画像を説明するための図である。
【図６】位置ずれ補正画像を出力したものを示す図である。
【図７】距離変動時の位置ずれ補正画像形成のフローを示す図である。
【図８】距離を数値入力する画面を示す図である。
【図９】距離を選択入力する画面を示す図である。
【図１０】位置ずれ量が所定範囲を超えた場合に表示される画面を説明するための図である。
【図１１】位置ずれ量が所定範囲を超えた場合に表示される画面を説明するための図である。
【図１２】分割画像データを説明するための図である。
【図１３】位置ずれのある画像形成装置で分割印刷を行った場合を説明するための図である。
【図１４】画像形成装置の書き込み系の概略図である。
【図１５】画像形成装置の書き込み系の概略図である。
【符号の説明】
【００６５】
１    画像形成装置
３    記録装置
４    記録部材
【図１】
2007038459.tif 000003
【図２】
2007038459.tif 000004
【図３】
2007038459.tif 000005
【図４】
2007038459.tif 000006
【図５】
2007038459.tif 000007
【図６】
2007038459.tif 000008
【図７】
2007038459.tif 000009
【図８】
2007038459.tif 000010
【図９】
2007038459.tif 000011
【図１０】
2007038459.tif 000012
【図１１】
2007038459.tif 000013
【図１２】
2007038459.tif 000014
【図１３】
2007038459.tif 000015
【図１４】
2007038459.tif 000016
【図１５】
2007038459.tif 000017